(57)【要約】【課題】デザイン性を損なうことなく、仮に手袋を装着している場合であってもタッチパネルの感度を容易に調整すること。【解決手段】本発明にかかる携帯端末装置は、ユーザからの入力を検出するとともに、ユーザからの入力を検出する感度を設定可能なタッチパネルと、携帯端末装置１の加速度を検出する加速度検出部と、加速度検出部によって所定の加速度を超える加速度が検出された場合に、予め定められた少なくとも１つの感度でタッチパネルによってユーザからの入力が検出されるか否かを判定して、判定結果に基づいてタッチパネルの感度を設定する制御部とを備える。【選択図】図１
2012194791.tif 000002
【特許請求の範囲】
【請求項１】
ユーザからの入力を検出するとともに、当該ユーザからの入力を検出する感度を設定可能なタッチパネルと、
当該携帯端末装置の加速度を検出する加速度検出部と、
前記加速度検出部によって所定の加速度を超える加速度が検出された場合に、予め定められた少なくとも１つの感度で前記タッチパネルによって前記ユーザからの入力が検出されるか否かを判定して、当該判定結果に基づいて前記タッチパネルの感度を設定する制御部と、
を備えた携帯端末装置。
【請求項２】
前記制御部は、第１の感度で前記ユーザからの入力が検出されない場合、前記タッチパネルの感度を、当該第１の感度よりも高い第２の感度に設定する、請求項１に記載の携帯端末装置。
【請求項３】
前記制御部は、前記第１の感度で前記ユーザからの入力が検出された場合、前記タッチパネルの感度を、前記第１の感度に設定する、請求項２に記載の携帯端末装置。
【請求項４】
前記制御部は、前記第２の感度で前記ユーザからの入力が検出されない場合、前記タッチパネルの感度を、前記所定の加速度を超える加速度の検出前における感度に戻す、請求項２又は３に記載の携帯端末装置。
【請求項５】
前記携帯端末装置は、所定の時間を計測する計測部をさらに備え、
前記制御部は、前記第２の感度での前記ユーザからの入力を、前記計測部によって計測される所定の時間の間に検出されないか否かによって判定する、
請求項４に記載の携帯端末装置。
【請求項６】
前記前記所定の加速度を超える加速度の検出前における感度は、前記第１の感度である、請求項４又は５に記載の携帯端末装置。
【請求項７】
前記制御部は、前記携帯端末装置がスタンバイ状態のときに前記所定の加速度を超える加速度が検出された場合、前記携帯端末装置を当該スタンバイ状態から復帰させるとともに、前記第２の感度で前記ユーザからの入力が検出されない場合、前記携帯端末装置を前記スタンバイ状態に戻す、請求項４乃至６のいずれか１項に記載の携帯端末装置。
【請求項８】
前記第１の感度は、素手による入力を検出することができるが、当該素手よりも導電性の低い手袋による入力は検出することはできない感度であり、
前記第２の感度は、前記素手による入力、及び、前記手袋による入力を検出することができる感度である、
請求項２乃至７のいずれか１項に記載の携帯端末装置。
【請求項９】
ユーザからの入力を検出するとともに、当該ユーザからの入力を検出する感度を設定可能なタッチパネルと、
当該携帯端末装置の加速度を検出する加速度検出部と、
前記加速度検出部によって所定の加速度を超える加速度が検出された場合に、前記タッチパネルの感度を、より高い感度に設定する制御部と、
を備えた携帯端末装置。
【請求項１０】
ユーザからの入力を検出するとともに、当該ユーザからの入力を検出する感度を設定可能なタッチパネルを有する携帯端末装置の制御方法であって、
前記携帯端末装置の加速度を検出するステップと、
所定の加速度を超える加速度を検出した場合に、予め定められた少なくとも１つの感度で前記タッチパネルによって前記ユーザからの入力が検出されるか否かを判定するステップと、
前記判定結果に基づいて、前記タッチパネルの感度を設定するステップと、
を備えた携帯端末装置の制御方法。
【発明の詳細な説明】
【技術分野】
【０００１】
本発明は、携帯端末装置、及び携帯端末装置の制御方法に関する。
【背景技術】
【０００２】
現在、タッチパネルを有する携帯端末装置が多数存在する。このようなタッチパネルは、一般的に、通常のモードでは、素手によるタッチを検出するようになっているが、手袋を装着した状態によるタッチは検出しないようになっている（以下、このようなモードを「通常モード」とする）。そのため、ユーザは、手袋を装着してタッチパネルを操作する場合、タッチパネルの感度を、通常モードよりも高くしたモード（以下、「高感度モード」とする）に変更する必要がある。例えば、静電容量方式のタッチパネルにおいて、素手よりも導電性が低い手袋で操作しようとした場合、このような必要性が生じてしまう。
【０００３】
上述したように、通常モードでは、手袋を着用した状態では入力操作を行うことはできないため、手袋を装着したままタッチパネルを高感度モードに切り替える仕組みとして、機械的なスイッチが考えられる。しかし、この仕組みでは、手袋を装着した状態でも操作できる程度に大きなスイッチが必要となってしまう。大きなスイッチを携帯端末装置に付けてしまうと、携帯端末装置において、コンパクトかつスタイリッシュなデザイン性が強く求められているという実情に反してしまうという問題がある。これに対して、デザイン性を維持した小さなスイッチを携帯端末装置に付けるようにしたとしても、手袋を装着したままでは操作が困難であるため、スイッチを操作するために手袋を外すために手間がかかってしまい、利便性を損なってしまうという問題がある。
【０００４】
また、携帯端末装置には、Ｓｔａｎｄｂｙ状態から表示ＯＮの状態への移行を、タッチパネルに対してタッチがされた場合に行うものがある。しかし、このような携帯端末装置でも、Ｓｔａｎｄｂｙ状態のときに、タッチパネルが通常モードとなっている場合やタッチパネルがタッチを検出しないモードになっている場合、手袋を装着したままＳｔａｎｄｂｙ状態から表示ＯＮの状態への移行を可能とする仕組みを考えると、上述と同様の問題に行きついてしまう。
【０００５】
特許文献１には、手袋の有無によらず、オン／オフ操作を正常に行うことができるタッチパネル装置を提供することを目的とした技術が開示されている。特許文献１に開示のタッチパネル装置では、素手で接触したときのタッチセンサの抵抗値に基づき、素手であるか手袋装着状態であるかを判断する基準値が規定されている。タッチパネル装置は、タッチセンサが設けられたメカニカルスイッチが操作された際に、タッチセンサの抵抗値を測定すると共に、測定されたタッチセンサの抵抗値を基準値と比較する。タッチパネル装置は、タッチセンサの抵抗値が基準値より高い場合には、手袋装着状態と判断し、タッチパネルのオン／オフを判断する判断閾値を、素手のときの判断閾値より低く設定して、タッチパネルの感度を向上させる。タッチパネル装置は、タッチセンサの抵抗値が基準値より低い場合には、素手であると判断し、タッチパネルのオン／オフを判断する判断閾値を、素手のときの判断閾値に設定する。
【０００６】
しかし、特許文献１に開示のタッチパネル装置も、上述と同様に、機械的なスイッチが必要となってしまうという問題がある。
【０００７】
特許文献２には、ユーザの感度調整の開始を指示させることなく、静電パッドの感度調整を自動的かつ安全に行うことを目的とした携帯電話機が開示されている。携帯電話機は、傾き及び加速度を検出するモーションセンサを備える。携帯電話機は、携帯電話機がクレードルに取り付けられて充電端子に電圧が印加されたことをトリガーとして、一定期間待機した後、さらに携帯電話機の傾き、携帯電話機の動き及びユーザ操作を一定期間監視する。携帯電話機は、この監視結果が、携帯電話機が静止している等の起動条件を満たしている場合に、静電パッドの感度調整を開始する。
【０００８】
しかし、特許文献２に開示の携帯電話機は、手袋を装着している場合であってもタッチパネルの感度を容易に調整することができるようにすることを目的としたものではない。
【先行技術文献】
【特許文献】
【０００９】
【特許文献１】特開２００８−０３３７０１号公報
【特許文献２】特開２００９−２０７００９号公報
【発明の概要】
【発明が解決しようとする課題】
【００１０】
以上に説明したように、タッチパネルを有する携帯端末装置では、デザイン性を損なうことなく、手袋を装着したままでもタッチパネルの感度を容易に調整することができていない、という課題がある。
【００１１】
本発明の目的は、上述したような課題を解決するために、デザイン性を損なうことなく、仮に手袋を装着している場合であってもタッチパネルの感度を容易に調整することができる携帯端末装置及び携帯端末装置の制御方法を提供することである。
【課題を解決するための手段】
【００１２】
本発明の第１の態様にかかる携帯端末装置は、ユーザからの入力を検出するとともに、当該ユーザからの入力を検出する感度を設定可能なタッチパネルと、当該携帯端末装置の加速度を検出する加速度検出部と、前記加速度検出部によって所定の加速度を超える加速度が検出された場合に、予め定められた少なくとも１つの感度で前記タッチパネルによって前記ユーザからの入力が検出されるか否かを判定して、当該判定結果に基づいて前記タッチパネルの感度を設定する制御部と、を備えたものである。
【００１３】
本発明の第２の態様にかかる携帯端末装置は、ユーザからの入力を検出するとともに、当該ユーザからの入力を検出する感度を設定可能なタッチパネルと、当該携帯端末装置の加速度を検出する加速度検出部と、前記加速度検出部によって所定の加速度を超える加速度が検出された場合に、前記タッチパネルの感度を、より高い感度に設定する制御部と、を備えたものである。
【００１４】
本発明の第３の態様にかかる携帯端末装置の制御方法は、ユーザからの入力を検出するとともに、当該ユーザからの入力を検出する感度を設定可能なタッチパネルを有する携帯端末装置の制御方法であって、前記携帯端末装置の加速度を検出するステップと、所定の加速度を超える加速度を検出した場合に、予め定められた少なくとも１つの感度で前記タッチパネルによって前記ユーザからの入力が検出されるか否かを判定するステップと、前記判定結果に基づいて、前記タッチパネルの感度を設定するステップと、を備えたものである。
【発明の効果】
【００１５】
本発明の上述した各態様によれば、デザイン性を損なうことなく、仮に手袋を装着している場合であってもタッチパネルの感度を容易に調整することができる携帯端末装置及び携帯端末装置の制御方法を提供することができる。
【図面の簡単な説明】
【００１６】
【図１】本発明の実施の形態１にかかる携帯端末装置１の構成図である。
【図２】本発明の実施の形態１にかかる携帯端末装置１の構成をより詳細に示した図である。
【図３】本発明の実施の形態１にかかる携帯端末装置１の動作を示すフローチャートである。
【図４】本発明の実施の形態２にかかる携帯端末装置１の動作を示すフローチャートである。
【発明を実施するための形態】
【００１７】
発明の実施の形態１．
図１及び図２を参照して、本発明の実施の形態１にかかる携帯端末装置１の構成について説明する。図１は、本発明の実施の形態１にかかる携帯端末装置１の構成図である。図２は、本発明の実施の形態１にかかる携帯端末装置１の構成をより詳細に示した図である。
【００１８】
携帯端末装置１は、表示部２、タッチ部３、加速度センサー４、タイマー１８、及びＭＰＵ１９を有する。表示部２は、表示制御部１７を有する。携帯端末装置１は、タッチパネルを有する携帯端末装置であれば、どのようなものであってもよい。携帯端末装置は、例えば、携帯電話、ＰＨＳ（Personal Handyphone System）、ＰＤＡ（Personal Digital Assistant）、スマートフォン、デジタルカメラ、ノートＰＣ（Personal Computer）等である。
【００１９】
加速度センサー４は、記憶部１１、割り込み部１２、比較部１３、及び検出部１４を有する。タッチ部３は、タッチ制御部１５及び検出部１６を有する。図１に示すように、表示部２と、タッチ部３とは、それぞれの領域の全部又は一部が重複して配置される。つまり、表示部２及びタッチ部３によって、タッチパネルが構成される。
【００２０】
記憶部１１は、予め定められた閾値が格納される。この閾値は、ユーザによって意図的に携帯端末装置１が振られた程度の加速度を示す。記憶部１１は、例えば、メモリ又はハードディスク等の記憶装置である。
【００２１】
割り込み部１２は、比較部１３による比較結果に従って、ＭＰＵ１９に割り込み信号を出力する。具体的には、割り込み部１２は、比較結果が、加速度検出部１４が検出した変動量が、記憶部１１に格納された閾値を超えていることを示している場合に、割り込み信号を出力する。
【００２２】
比較部１３は、加速度検出部１４が検出した変動量と、記憶部１１に格納された閾値とを比較する。具体的には、比較部１３は、変動量が閾値を超えているか否かを判定する。つまり、加速度検出部１４が検出した加速度が、閾値が示す加速度を超えているか否かが判定される。
【００２３】
加速度検出部１４は、携帯端末装置１に与えられる重力の変動量を検出する。つまり、加速度検出部１４は、変動量として、携帯電話装置１の加速度を検出する。
【００２４】
タッチ制御部１５は、タッチ検出部１６において、ユーザからのタッチを検出する感度を、通常モードと高感度モードとに切り替える。通常モードは、ユーザからの素手によるタッチを検出することができるが、素手よりも導電性の低い手袋によるタッチは検出することができない感度である。高感度モードは、ユーザからの素手によるタッチ及び手袋によるタッチの両方を検出することができる感度である。
【００２５】
タッチ検出部１６は、ユーザからのタッチパネルに対するタッチを検出する。タッチ検出部１６は、検出内容をＭＰＵ１９に通知する。
【００２６】
表示制御部１７は、待ち受け画面等の任意の画面を表示する。表示制御部１７は、表示部２が有する表示パネルに任意の画面を表示する。表示パネルは、例えば、液晶パネル、プラズマパネル、又は有機ＥＬパネル等である。
【００２７】
タイマー１８は、ＭＰＵ１９によって制御されて、一定時間をカウントする。この一定の時間は、予め任意の時間を定めるようにしてよい。タイマー１８は、一定時間のカウントが完了したときに、一定時間の計測終了をＭＰＵ１９に通知する。
【００２８】
ＭＰＵ１９は、加速度センサー４からの割り込み信号の出力に応じて、携帯端末装置１をＳｔａｎｄｂｙ状態からＷａｋｅＵｐ状態に移行させる。このとき、ＭＰＵ１９は、通常モードでユーザからの入力が検出されたか否かに基づいて、タッチ制御部１５に対して通常モードから高感度モードへの切り替えを指示する。また、ＭＰＵ１９は、表示部１７に対して待ち受け画面の表示を指示する。
【００２９】
続いて、図３を参照して、本発明の実施の形態１にかかる携帯端末装置１の動作について説明する。図３は、本発明の実施の形態１にかかる携帯端末装置１の動作を示すフローチャートである。
【００３０】
ます、携帯端末装置１は、Ｓｔａｎｄｂｙ状態であるものとする。携帯端末装置１のＳｔａｎｄｂｙ状態とは、加速度センサー４がＯＮ、タッチ部３がＯＦＦ、ＭＰＵ１９がＳｔａｎｄｂｙ、表示部２がＯＦＦの状態である（Ｓ３１）。
【００３１】
ここで、加速度センサー４がＯＮの状態とは、加速度センサー４が、携帯端末装置１の加速度を検出し、検出した加速度と記憶部１１に記憶された閾値とを比較して、ＭＰＵ１９に割り込み信号を出力できる状態である。タッチ部３がＯＦＦの状態とは、タッチ部３が、タッチ検出部１６においてタッチを検出しない非検出モードとなっている状態である。ＭＰＵ１９がＳｔａｎｄｂｙの状態とは、ＭＰＵ１９が動作を停止している状態である。表示部２がＯＦＦの状態とは、画面を非表示としている状態である。
【００３２】
ユーザは、手袋を装着したまま携帯端末装置１を高感度モードとして起動して画面を表示させたい場合、タッチ部３に手袋を装着した手の指又は手のひらの部分が触れるように握って携帯端末装置１を振る。
【００３３】
加速度検出部１４は、携帯端末装置１４に与えられた加速度を検出して、検出した加速度を示す加速度情報を生成する。加速度検出部１４は、生成した加速度情報を比較部１３に出力する。比較部１３は、加速度検出部１４から出力され加速度情報が示す加速度と、記憶部１１に格納された閾値とを比較して、加速度が閾値を超えたか否かを判定する（Ｓ３２）。比較部１３は、比較結果を示す比較結果情報を生成して、生成した比較結果情報を割り込み部１２に出力する。比較結果情報は、例えば、検出した加速度が閾値を超えているか否かを示す情報である。
【００３４】
比較結果情報が、加速度が閾値を超えたことを示している場合、割り込み部１２は、割り込み信号をＭＰＵ１９に出力する（Ｓ３２：ＹＥＳ）。比較結果情報が、加速度が閾値を超えていないことを示している場合、割り込み部１２は、割り込み信号をＭＰＵ１９に出力しない（Ｓ３２：ＮＯ）。この場合、後述するステップＳ３３以降の処理は実行されないため、携帯端末装置１はＳｔａｎｄｂｙ状態を維持する。
【００３５】
ＭＰＵ１９は、割り込み部１２からの割り込み信号の出力に応じて、Ｓｔａｎｄｂｙ状態からＷａｋｅＵｐ状態に移行する。ＷａｋｅＵＰ状態とは、ＭＰＵ１９が動作している状態である。ＭＰＵ１９は、通常モードでのＯＮを指示する指示情報をタッチ部３に出力する。タッチ部３のタッチ制御部１５は、ＭＰＵ１９からの指示情報に応じて、タッチ検出部１６を通常モードに切り替える（Ｓ３３）。通常モードに移行したタッチ検出部１６は、ユーザからタッチパネルに対して複数箇所がタッチされているか否かを判定する（Ｓ３４）。
【００３６】
複数個所のタッチが検出できた場合（Ｓ３４：ＮＯ）、タッチ検出部１６は、複数個所のタッチが検出できたことを通知する通知情報をＭＰＵ１９に出力する。ＭＰＵ１９は、タッチ検出部１６からの通知情報に応じて、待ち受け画面の表示を指示する指示情報を表示部２に出力する。表示部２の表示制御部１７は、ＭＰＵ１９からの指示情報に応じて、待ち受け画面を表示する。
【００３７】
このように、通常モードでタッチが検出された場合は、ユーザが素手で携帯端末装置１を把持して振ることによって、携帯端末装置１を起動したことになる。そのため、通常モードのまま待ち受け画面を表示して、素手による携帯端末装置１の使用を可能とする。
【００３８】
複数個所のタッチが検出できなかった場合（Ｓ３４：ＹＥＳ）、タッチ検出部１６は、複数個所のタッチが検出できなかったことを通知する通知情報をＭＰＵ１９に出力する（Ｓ３５）。ＭＰＵ１９は、タッチ検出部１６からの通知情報に応じて、タイマーの開始を指示する指示情報をタイマー１８に出力する。タイマー１８は、ＭＰＵ１９からの指示情報に応じて、タイマーを開始する（Ｓ３６）。つまり、所定の時間のカウントが開始される。
【００３９】
さらに、ＭＰＵ１９は、高感度モードへの切り替えを指示する指示情報をタッチ部３に出力する。タッチ部３のタッチ制御部１５は、ＭＰＵ１９からの指示情報に応じて、タッチ検出部１６を高感度モードに切り替える（Ｓ３７）。高感度モードに移行したタッチ検出部１６は、ユーザからタッチパネルに対して複数箇所がタッチされているか否かを判定する（Ｓ３８）。
【００４０】
複数個所のタッチが検出できた場合（Ｓ３８：ＹＥＳ）、タッチ検出部１６は、複数個所のタッチが検出できたことを通知する通知情報をＭＰＵ１９に出力する。ＭＰＵ１９は、タッチ検出部１６からの通知情報に応じて、待ち受け画面の表示を指示する指示情報を表示部２に出力する（Ｓ３９）。表示部２の表示制御部１７は、ＭＰＵ１９からの指示情報に応じて、待ち受け画面を表示する。また、ＭＰＵ１９は、タイマーの停止を指示する指示情報をタイマー１８に出力する。タイマー１８は、ＭＰＵ１９からの指示情報に応じて、タイマーを停止する。つまり、所定の時間のカウントを停止する。これによって、タッチ検出部１６は、高感度モードを維持する。
【００４１】
このように、高感度モードでタッチが検出された場合、ユーザが手袋を装着した状態で携帯端末装置１を把持して振ることによって、携帯端末装置１を起動したことになる。そのため、高感度モードのまま待ち受け画面を表示して、手袋による携帯端末装置１の使用を可能とする。また、ここまでの処理のように、素手によるタッチを検出できない場合に、高感度モードに移行させるようにすることで、ユーザが素手であるのに高感度モードに移行させてしまうことを防止することができる。これによれば、高感度モードのタッチパネルに対して手袋をせずに素手でタッチをしてしまうと感度が高すぎ、誤操作が発生してしまうという問題があるが、それを防止することができる。
【００４２】
複数個所のタッチが検出されなかった場合（Ｓ３８：ＮＯ）、複数箇所のタッチの検出（Ｓ３８）が、タイマー１８による所定の時間のカウントが終了するまで継続される（Ｓ３８：ＮＯ、Ｓ４１：ＮＯ）。タイマー１８は、所定の時間のカウントが終了した場合（Ｓ４１：ＹＥＳ）、ＭＰＵ１９に所定の時間が経過したことを通知する通知情報をＭＰＵ１９に出力する。ＭＰＵ１９は、タイマー１８からの通知情報に応じて、タッチパネルのＯＦＦを指示する指示情報をタッチ部３に出力する。タッチ部３のタッチ制御部１５は、ＭＰＵ１９からの指示情報に応じて、タッチ検出部１６を非検出モードに切り替える。そして、ＭＰＵ１９は、動作を停止してＳｔａｎｄｂｙ状態に移行する（Ｓ３１）。
【００４３】
このように所定の時間の間、高感度モードでのユーザからのタッチが検出できなかった場合は、携帯端末装置１を再びＳｔａｎｄｂｙ状態に移行するようにしている。これによれば、ユーザが携帯端末装置１を持ち運んでいるときに、偶然意図しない振動が携帯端末装置１に与えられた場合であっても、高感度モードに移行して携帯端末装置１が起動してしまうことを防止することができる。または、例えば、極めて厚手の手袋等のように、導電性がほとんどなく、高感度モードでもユーザからタッチを検出できないような手袋をユーザが装着している場合に、携帯端末装置１が起動したままとなってしまうことを防止することができる。また、このように携帯端末装置１の無駄な起動を防止することによって、無駄な消費電力を低減することもできる。
【００４４】
以上に説明したように、本実施の形態１によれば、Ｓｔａｎｄｂｙ状態から表示ＯＮ状態に移行させるスイッチや、通常モードから高感度モードに切り替えるスイッチを備える必要なく、手袋を装着した場合であっても表示ＯＮ、かつ、高感度モードへの切り替えをすることができる。
【００４５】
以上に説明したように、本実施の形態１にかかる携帯端末装置１によれば、加速度センサー４によって所定の加速度を超える加速度が検出された場合に、予め定められた少なくとも１つの感度でタッチパネルによってユーザからの入力が検出されるか否かを判定して、判定結果に基づいてタッチパネルの感度を設定するようにしている。
【００４６】
これによれば、例えば、ユーザが携帯端末装置１を把持しながら振る、又は、携帯端末装置１を振ってタッチパネルにタッチするという、簡易な操作でタッチパネルの感度を調整することができる。そのため、デザイン性を損なうことなく、仮に手袋を装着している場合であってもタッチパネルの感度を容易に調整することができる。
【００４７】
また、以上に説明した、本実施の形態１にかかる携帯端末装置１では、加速度センサー４によって所定の加速度を超える加速度が検出された場合に、タッチパネルの感度を、通常モードより高い高感度モードに設定するようにしている、とも言える。
【００４８】
これによっても、ユーザが携帯端末装置１を振るという簡易な操作でタッチパネルの感度を調整することができるため、デザイン性を損なうことなく、仮に手袋を装着している場合であってもタッチパネルの感度を容易に調整することができる。
【００４９】
発明の実施の形態２．
続いて、本発明の実施の形態２について説明する。なお、本発明の実施の形態２にかかる携帯端末装置１の構成は、本発明の実施の形態１にかかる携帯端末装置１と同様であるため、説明を省略する。
【００５０】
続いて、図４を参照して、本発明の実施の形態２にかかる携帯端末装置１の動作について説明する。図４は、本発明の実施の形態２にかかる携帯端末装置１の動作を示すフローチャートである。なお、図３を参照して説明した本発明の実施の形態２にかかる携帯端末装置１の動作と同様の処理については、適宜省略して説明する。
【００５１】
まず、携帯端末装置１は、通常状態であるものとする。携帯端末装置１の通常状態とは、加速度センサー４がＯＮ、タッチ部３が通常モード、ＭＰＵ１９がＯＮ、表示部２がＯＮの状態である（Ｓ５１）。ＭＰＵ１９がＯＮの状態とは、ＭＰＵ１９が上述したＷａｋｅＵＰ状態となっていることである。表示部２がＯＮ状態とは、画面を表示している状態のことである。つまり、通常状態では、素手でタッチ部３をタッチして携帯端末装置１を操作することができる。
【００５２】
ユーザは、この通常状態から、手袋を装着したまま携帯端末装置１を高感度モードに切り替えたい場合、タッチ部３に手袋を装着した手の指又は手のひらの部分が触れるように握って携帯端末装置１を振る。
【００５３】
加速度センサー４は、ステップＳ３２と同様に、携帯端末装置１に与えられた加速度が所定の加速度を超えた場合、割り込み信号をＭＰＵ１９に出力する（Ｓ５２：ＹＥＳ）。携帯端末装置１に与えられた加速度が所定の加速度を超えない場合（Ｓ５２：ＮＯ）、加速度センサー４は割り込みを出力せず、後述するステップＳ５３以降の処理は実行されないため、携帯端末装置１は通常状態を維持する（Ｓ５１）。
【００５４】
ＭＰＵ１９は、通常状態のときに割り込み部１２から割り込み信号が出力された場合、タッチされているか否かの判定を指示する指示情報をタッチ検出部１６に出力する。タッチ検出部１６は、ＭＰＵ１９からの指示情報に応じて、ステップＳ３４と同様に、ユーザからタッチパネルに対して複数箇所がタッチされているか否かを判定して、判定結果を通知する通知情報をＭＰＵ１９に出力する（Ｓ５３）。
【００５５】
複数個所のタッチが検出できた場合（Ｓ５３：ＮＯ）、ＭＰＵ１９は、通常状態を維持する（Ｓ５１）。これによれば、ユーザが素手で携帯端末装置１を操作しているときに偶然意図しない振動が携帯端末装置１に与えられた場合であっても、通常モードを維持して携帯端末装置１の操作を継続することができる。
【００５６】
複数個所のタッチが検出できなかった場合（Ｓ５３：ＹＥＳ）、ＭＰＵ１９は、ステップＳ３５〜３７と同様に、タイマーの開始、及び、高感度モードへの切り替えを行う。そして、タッチ検出部１６は、ステップＳ３８、Ｓ４１と同様に、ユーザからタッチパネルに対して複数箇所がタッチされているか否かを判定する（Ｓ５４、Ｓ５９）。
【００５７】
複数個所のタッチが検出できた場合（Ｓ５７：ＹＥＳ）、ＭＰＵ１９は、実施の形態１と同様に、タッチ検出部１６からの通知情報に応じて、タイマーを停止してタッチ検出部１６の高感度モードを維持する（Ｓ５８）。
【００５８】
複数個所のタッチが検出されなかった場合（Ｓ５７：ＮＯ）、ステップＳ３８、Ｓ４１と同様に、複数箇所のタッチの検出（Ｓ５７）が、タイマー１８による所定の時間のカウントが終了するまで継続される（Ｓ５７：ＮＯ、Ｓ５９：ＮＯ）。タイマー１８は、所定の時間のカウントが終了した場合（Ｓ５９：ＹＥＳ）、ＭＰＵ１９に所定の時間が経過したことを通知する通知情報をＭＰＵ１９に出力する。ＭＰＵ１９は、タイマー１８からの通知情報に応じて、通常モードへの切り替えを指示する指示情報をタッチ部３に出力する。タッチ部３のタッチ制御部１５は、ＭＰＵ１９からの指示情報に応じて、タッチ検出部１６を通常モードに切り替える（Ｓ５１）。
【００５９】
このように所定の時間の間、ユーザからのタッチが検出できなかった場合は、携帯端末装置１を再び通常状態に移行するようにしている。これによれば、ユーザが携帯端末装置１を持ち運んでいるとき又は素手で操作しているときに、偶然意図しない振動が携帯端末装置１に与えられた場合であっても、携帯端末装置１が高感度モードに移行することを防止することができる。
【００６０】
実施の形態１では、Ｓｔａｎｄｂｙ状態から高感度モードの表示ＯＮ状態（高感度状態）に移行する場合について例示したが、本実施の形態２によれば、通常モードの表示ＯＮ状態（通常状態）から高感度モードの表示ＯＮ状態にも、切り替えるスイッチを備える必要なく、手袋を装着したまま切り替えをすることができる。
【００６１】
なお、本発明は上記実施の形態に限られたものではなく、趣旨を逸脱しない範囲で適宜変更することが可能である。
【００６２】
本実施の形態では、高感度モードでのユーザからのタッチを、タイマー１８によって計測される所定の時間の間に検出されないか否かを判定する（Ｓ３８、Ｓ５７）ようにしたが、これに限られない。これと同様に、通常モードでのユーザからのタッチを、タイマー１８によって計測される所定の時間の間に検出されないか否かを判定する（Ｓ３４、Ｓ５３）ようにしてもよい。
【００６３】
本実施の形態では、通常モードと、高感度モードの２つのモードでのタッチの検出を判定することによって、タッチパネルのモードを決定するようにしているが、これに限られない。３つ以上のモードで判定をするようにしてもよい。例えば、通常モードと、通常モードよりも感度の高い高感度モード１と、高感度モード１よりも感度の高い高感度モード２を用意するようにしてもよい。この場合は、例えば、通常モード及び高感度モード１でタッチを検出できず、高感度モード２でタッチを検出できたときに、タッチパネルを高感度モード２に設定するようにしてもよい。
【００６４】
本実施の形態では、ユーザからのタッチ検出の判定（Ｓ３４、Ｓ３８、Ｓ５３、Ｓ５７）において、複数個所のタッチを検出するようにしているが、これに限られない。例えば、このように所定数以上の複数個所のタッチを検出したか否かを判定するようにしてもよく、所定の面積以上のタッチを検出したか否かを判定するようにしてもよく、一個所でもタッチを検出したか否かを判定するようにしてもよい。しかし、好ましくは、本実施の形態のように、複数個所のタッチを検出するようにすることで、ユーザが意図せずに偶然に何らかのものが触れてしまってタッチを検出したと判定されてしまう可能性を低減することができる。
【００６５】
本発明の実施の形態にかかる携帯端末装置は、上述の実施の形態の機能を実現するプログラムを、携帯端末装置が有するＣＰＵ(Central Processing Unit)及びＭＰＵ等のプロセッサが実行することによって、構成することが可能である。
【００６６】
また、このプログラムは、様々なタイプの非一時的なコンピュータ可読媒体(non-transitory computer readable medium)を用いて格納され、携帯端末装置に供給することができる。非一時的なコンピュータ可読媒体は、様々なタイプの実体のある記録媒体(tangible storage medium)を含む。非一時的なコンピュータ可読媒体の例は、磁気記録媒体(例えばフレキシブルディスク、磁気テープ、ハードディスクドライブ)、光磁気記録媒体(例えば光磁気ディスク)、ＣＤ−ＲＯＭ(Read Only Memory）、ＣＤ−Ｒ、ＣＤ−Ｒ／Ｗ、半導体メモリ(例えば、マスクＲＯＭ、ＰＲＯＭ(Programmable ROM）、ＥＰＲＯＭ(Erasable PROM）、フラッシュＲＯＭ、ＲＡＭ(Random Access Memory））を含む。また、プログラムは、様々なタイプの一時的なコンピュータ可読媒体(transitory computer readable medium）によって携帯端末装置に供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムを携帯端末装置に供給できる。
【００６７】
また、携帯端末装置が上述の実施の形態の機能を実現するプログラムを実行することにより、上述の実施の形態の機能が実現される場合だけでなく、このプログラムが、携帯端末装置上で稼動しているＯＳ(Operating System)もしくはアプリケーションソフトウェアと共同して、上述の実施の形態の機能を実現する場合も、本発明の実施の形態に含まれる。さらに、このプログラムの処理の全てもしくは一部が携帯端末装置に挿入された機能拡張ボードや携帯端末装置に接続された機能拡張ユニットによって行われて、上述の実施の形態の機能が実現される場合も、本発明の実施の形態に含まれる。
【符号の説明】
【００６８】
１    携帯端末装置
２    表示部
３    タッチ部
４    加速度センサー
１１    記憶部
１２    割り込み部
１３    比較部
１４    加速度検出部
１５    制御部
１６    タッチ検出部
１７    表示制御部
１８    タイマー
１９    ＭＰＵ
【図１】
2012194791.tif 000003
【図２】
2012194791.tif 000004
【図３】
2012194791.tif 000005
【図４】
2012194791.tif 000006